(57)【特許請求の範囲】
【請求項１】
ユーザー側から１０ギガビット光ファイバーチャネル１０ＧＦＣサービス信号を受信する受信ステップと、
受信した前記１０ＧＦＣサービス信号のレートを１０ギガイーサネット（登録商標）１０ＧＥ信号のレートに調整する調整ステップと、
レートが調整された前記１０ＧＦＣサービス信号をＯＴＵ２ｅ／ＯＤＵ２ｅ信号或いはＯＴＵ１ｅ／ＯＤＵ１ｅ信号にマッピングさせるフレーミングステップと、
前記ＯＴＵ２ｅ／ＯＤＵ２ｅ信号或いはＯＴＵ１ｅ／ＯＤＵ１ｅ信号を光伝送ネットワークに送信して伝送する送信ステップと、を含む
１０ギガビット光ファイバーチャネルサービスを光伝送ネットワークに伝送する方法。
【請求項２】
前記調整ステップは、
前記１０ＧＦＣサービス信号を６４／６６Ｂデコードして、レートが１０．２Ｇｂｐｓである１０ＧＦＣサービス信号を取得し、
前記レートが１０．２Ｇｂｐｓである１０ＧＦＣサービス信号をエンコードして、レートが前記１０ＧＥ信号のレートである１０ＧＦＣサービス信号を取得すること、を含む
ことを特徴とする請求項１に記載の方法。
【請求項３】
フレーミングステップは、
前記１０ＧＦＣサービス信号が最終にＯＴＵ２ｅ／ＯＤＵ２ｅ信号にマッピングされると、レートが調整された前記１０ＧＦＣサービス信号を固定に充填して、固定に充填された前記１０ＧＦＣサービス信号を光チャネル浄荷ユニットＯＰＵにカプセル化させる、或いは、前記１０ＧＦＣサービス信号が最終にＯＴＵ１ｅ／ＯＤＵ１ｅ信号にマッピングされると、レートが調整された前記１０ＧＦＣサービス信号を光チャネル浄荷ユニットＯＰＵにカプセル化させ、
前記ＯＰＵに光チャネルデータユニットＯＤＵのオーバーヘッドを加えてＯＤＵフレームにカプセル化して、ＯＤＵ２ｅサービス信号或いはＯＤＵ１ｅ信号を出力すること、を含む
ことを特徴とする請求項１に記載の方法。
【請求項４】
前記フレーミングステップは、
前記ＯＤＵ２ｅ信号或いはＯＤＵ１ｅ信号に対して光チャネル伝送ユニットＯＴＵのオーバーヘッドを加えてＯＴＵフレームにカプセル化して、ＯＴＵ２ｅ信号或いはＯＴＵ１ｅ信号を出力することをさらに含む
ことを特徴とする請求項３に記載の方法。
【請求項５】
ユーザー側から１０ギガビット光ファイバーチャネル１０ＧＦＣサービス信号を受信する受信モジュールと、
受信した前記１０ＧＦＣサービス信号のレートを１０ギガイーサネット（登録商標）１０ＧＥ信号のレートに調整するレート適合モジュールと、
レートが調整された前記１０ＧＦＣサービス信号をＯＴＵ２ｅ／ＯＤＵ２ｅ信号或いはＯＴＵ１ｅ／ＯＤＵ１ｅ信号にマッピングさせるＯＴＵ／ＯＤＵフレーミングモジュールと、
前記ＯＴＵ２ｅ／ＯＤＵ２ｅ信号或いは前記ＯＴＵ１ｅ／ＯＤＵ１ｅ信号を光伝送ネットワークに送信して伝送する送信モジュールと、を含む
１０ギガビット光ファイバーチャネルサービスを光伝送ネットワークに送信する装置。
【請求項６】
前記レート適合モジュールは、
前記１０ＧＦＣサービス信号を６４／６６Ｂデコードして、レートが１０．２Ｇｂｐｓである１０ＧＦＣサービス信号を取得するデコードユニットと、
前記レートが１０．２Ｇｂｐｓである１０ＧＦＣサービス信号をエンコードして、レートが１０ＧＥ信号のレートである１０ＧＦＣサービス信号を取得するエンコードユニットと、を含む
ことを特徴とする請求項５に記載の装置。
【請求項７】
前記ＯＴＵ／ＯＤＵフレーミングモジュールは、
前記１０ＧＦＣサービス信号が最終にＯＴＵ２ｅ／ＯＤＵ２ｅにマッピングされると、レートが調整された前記１０ＧＦＣサービス信号を固定に充填し、固定に充填された前記１０ＧＦＣサービス信号を光チャネル浄荷ユニットＯＰＵにカプセル化させる、
或いは、前記１０ＧＦＣサービス信号が最終にＯＴＵ１ｅ／ＯＤＵ１ｅにマッピングされると、レートが調整された前記１０ＧＦＣサービス信号を光チャネル浄荷ユニットＯＰＵにカプセル化させるＯＰＵマッピングユニットと、
前記ＯＰＵに光チャネルデータユニットＯＤＵのオーバーヘッドを加えてＯＤＵフレームにカプセル化して、ＯＤＵ２ｅ信号或いはＯＤＵ１ｅ信号を出力するＯＤＵフレーミングユニットと、
前記ＯＤＵ２ｅ信号或いはＯＤＵ１ｅ信号に対して光チャネル伝送ユニットＯＴＵのオーバーヘッドを加えてＯＴＵフレームにカプセル化して、ＯＴＵ２ｅ信号或いはＯＴＵ１ｅ信号を出力するためのＯＴＵフレーミングユニットと、を含む
ことを特徴とする請求項５に記載の装置。
【請求項８】
ネットワーク側から１０ＧＦＣサービスをロードするＯＴＵ２ｅ／ＯＤＵ２ｅ信号或いはＯＴＵ１ｅ／ＯＤＵ１ｅ信号を受信する受信ステップと、
受信した前記ＯＴＵ２ｅ／ＯＤＵ２ｅ信号或いはＯＴＵ１ｅ／ＯＤＵ１ｅ信号をレートが１０ＧＥ信号のレートである１０ＧＦＣサービス信号にデフレームするデフレームステップと、
前記１０ＧＦＣサービス信号のレートを前記１０ＧＥ信号のレートから標準的な前記１０ＧＦＣサービス信号のレートに調整する回復ステップと、
レートが調整された前記１０ＧＦＣサービス信号をクライアント側に送信する送信ステップと、を含む
１０ギガビット光ファイバーチャネルサービスを光伝送ネットワークに受信する方法。
【請求項９】
前記デフレームステップは、
ネットワーク側から受信されたのは光チャネル伝送ユニットＯＴＵ信号であるか光チャネルデータユニットＯＤＵ信号であるかを判断して、前記ＯＴＵ信号であると、前記ＯＴＵ信号をデフレームしてＯＤＵ信号を出力し、
前記ＯＤＵ信号をデフレームして、ＯＰＵ信号を出力して、前記ＯＰＵ信号から１０ＧＦＣサービス信号をデマッピングすること、を含む
ことを特徴とする請求項８に記載の方法。
【請求項１０】
ネットワーク側から１０ＧＦＣサービスをロードするＯＴＵ２ｅ／ＯＤＵ２ｅ信号或いはＯＴＵ１ｅ／ＯＤＵ１ｅ信号を受信する受信モジュールと、
受信した前記ＯＴＵ２ｅ／ＯＤＵ２ｅ信号或いは前記ＯＴＵ１ｅ／ＯＤＵ１ｅ信号をレートが１０ＧＥ信号のレートである１０ＧＦＣサービス信号にデフレームするＯＤＵ／ＯＴＵデフレームモジュールと、
前記１０ＧＦＣサービス信号のレートを前記１０ＧＥ信号のレートから標準的な前記１０ＧＦＣサービス信号のレートに調整するレート回復モジュールと、
レートが調整された前記１０ＧＦＣサービス信号をクライアント側に送信する送信モジュールと、を含む
１０ギガビット光ファイバーチャネルサービスを光伝送ネットワークに受信する装置。
【請求項１１】
前記ＯＤＵ／ＯＴＵデフレームモジュールは、
ネットワーク側から１０ＧＦＣサービスをロードする前記ＯＴＵ２ｅ信号或いはＯＴＵ１ｅ信号を光チャネル伝送ユニットＯＴＵでデフレームして、ＯＤＵ２ｅ信号或いはＯＤＵ１ｅ信号を出力するＯＴＵデフレームユニットと、
前記ＯＤＵ２ｅ信号或いはＯＤＵ１ｅ信号を光チャネルデータユニットＯＤＵでデフレームして光チャネル浄荷ユニットＯＰＵを出力するためのＯＤＵデフレームユニットと、
ＯＰＵ信号からレートが１０ＧＥ信号のレートである１０ＧＦＣサービス信号をデマッピングするＯＰＵデマッピングユニットと、を含む
ことを特徴とする請求項１０に記載の装置。
【発明の詳細な説明】
【技術分野】
【０００１】
本発明は、光伝送ネットワーク技術分野に関して、特に１０ギガビット光ファイバーチャネル（Ｆｉｂｅｒ  Ｃｈａｎｎｅｌ  １０  Ｇｉｇａｂｉｔ、１０ＧＦＣと略称）サービスを光伝送ネットワーク（Ｏｐｔｉｃａｌ  Ｔｒａｎｓｐｏｒｔ  Ｎｅｔｗｏｒｋ、ＯＴＮと略称）に伝送する方法及び装置に関する。
【背景技術】
【０００２】
光ファイバーチャネル（Ｆｉｂｅｒ  Ｃｈａｎｎｅｌ、ＦＣと略称）は、拡張可能性が良く、帯域幅が高く、共通性が強く、及び伝送距離が遠いなどの利点でストレージエリアネットワーク（Ｓｔｏｒａｇｅ  Ａｒｅａ  Ｎｅｔｗｏｒｋ、ＳＡＮと略称）のメイン技術の一つになり、光ファイバーチャネルのレートが１Ｇｂｐｓ（ギガビット／秒）、２Ｇｂｐｓから４Ｇｂｐｓ、８Ｇｂｐｓ、１０Ｇｂｐｓまでに向上した。記憶拡張の需要のため、ＦＣは広域の長距離の伝送を必要するが、波長分割多重（Ｗａｖｅｌｅｎｇｔｈ  Ｄｉｖｉｓｉｏｎ  Ｍｕｌｔｉｐｌｅｘｉｎｇ、ＷＤＭと略称）設備はその伝送が信頼でき、帯域幅が高い優勢のため、ＦＣサービスを長距離で伝送する有効的な解決案になる。
【０００３】
現在、様々のレートのＦＣサービスに対してどのように波長分割多重ネットワークにマッピングするかは統一的な標準がない。波長分割多重設備メーカも、帯域幅を有効に利用し、柔軟に配置することなどの要素を原則として、ＦＣサービス処理を続けて改善する。光チャネル伝送ユニット（Ｏｐｔｉｃａｌ  ｃｈａｎｎｅｌ  ｔｒａｎｓｐｏｒｔ  ｕｎｉｔ、ＯＴＵと略称）、光チャネルデータユニット（Ｏｐｔｉｃａｌ  ｃｈａｎｎｅｌ  ｄａｔａ  ｕｎｉｔ、ＯＤＵと略称）と光チャネル浄荷ユニット（Ｏｐｔｉｃａｌ  ｃｈａｎｎｅｌ  ｐａｙｌｏａｄ  ｕｎｉｔ、ＯＰＵと略称）は、ＩＴＵ−Ｔ  Ｇ．７０９プロトコルに定義されたＯＴＮネットワークにおける相応層のデータフォーマットである。
【０００４】
レートが１Ｇｂｐｓ、２Ｇｂｐｓ、４Ｇｂｐｓ、８ＧｂｐｓであるＦＣサービスに対して、ＯＴＵ１の浄荷レート（２．４８８Ｇｂｐｓ）或いはＯＴＵ２の浄荷レート（９．９５３Ｇｂｐｓ）とより良い適合関係があるため、組み合わせ、カスケード、直接なマッピングなどの方法よりマッピングすることができ、帯域幅を利用することがより十分である。例えば、２つの１ＧＦＣサービスは、１つのＯＴＵ１チャネルに伝送されることができ、２ＧＦＣサービスは、１つのＯＴＵ１チャネルに伝送されることができ、４ＧＦＣサービスは、２つのＯＴＵ１チャネルより伝送されることができ、８ＧＦＣサービスは、４つのＯＴＵ１チャネル或いは１つのＯＴＵ２チャネルより伝送されることができる。レートが１０．５１８７５Ｇｂｐｓである１０ＧＦＣサービスに対して、そのレートがＯＴＵ２の浄荷レート９．９５３Ｇｂｐｓより大きいであるがＯＴＵ３の浄荷レート３９．８１３Ｇｂｐｓより小さいであるため、１０ＧＦＣサービスを直接にＯＴＵ２チャネルにマッピングさせることができないが、３つの１０ＧＦＣサービスを１つのＯＴＵ３チャネルに組み合わせて伝送すると、帯域はより大きい浪費になる。
【０００５】
しかしながら、本発明を実現する過程において、従来の技術に少なくとも以下のような問題が存在することが発見される。例えば、現在の一般的な処理方法は、ＯＴＵ２の伝送レートを向上して１０ＧＦＣサービスに適応し、レートが特殊であるため、この場合のＯＴＵ２でフレームフォーマットなどが標準に合うが、１０ＧＦＣ  ＯＴＵ２がすでに標準的なＯＴＵ２ではなく、１０ＧＦＣ  ＯＴＵ２と標準的なＯＴＵ２をいっしょに一括混合して集合させにくくなって、ＯＴＵ３に応用することが困難である。
【発明の概要】
【発明が解決しようとする課題】
【０００６】
上記問題の一つを解決するために、本発明の実施例の目的とするところは、複数の異なる１０Ｇサービスを混合に集合してアクセスすることを実現することに役立って、光伝送ネットワークの帯域幅資源をさらに有効に利用することができる１０ギガビット光ファイバーチャネルサービスを光伝送ネットワークに伝送する方法及び装置を提供することにある。
【課題を解決するための手段】
【０００７】
本発明の１つの方面に係る１０ギガビット光ファイバーチャネルサービスを光伝送ネットワークに送信する方法は、
ユーザー側から１０ギガビット光ファイバーチャネル１０ＧＦＣサービス信号を受信する受信ステップと、
受信した１０ＧＦＣサービス信号のレートを１０ギガイーサネット（登録商標）１０ＧＥ信号のレートに調整する調整ステップと、
レートが調整された１０ＧＦＣサービス信号をＯＴＵ２ｅ／ＯＤＵ２ｅ信号或いはＯＴＵ１ｅ／ＯＤＵ１ｅ信号にマッピングさせるフレーミングステップと、
ＯＴＵ２ｅ／ＯＤＵ２ｅ信号或いはＯＴＵ１ｅ／ＯＤＵ１ｅ信号を光伝送ネットワークに送信して伝送する送信する送信ステップと、を含む。
【０００８】
好適に、上記の調整ステップは、１０ＧＦＣサービス信号を６４／６６Ｂデコードして、レートが１０．２Ｇｂｐｓである１０ＧＦＣサービス信号を取得し、
レートが１０．２Ｇｂｐｓである１０ＧＦＣサービス信号をエンコードして、レートが１０ＧＥ信号のレートである１０ＧＦＣサービス信号を取得すること、を含む。
【０００９】
好適に、フレーミングステップは、１０ＧＦＣサービス信号が最後にＯＴＵ２ｅ／ＯＤＵ２ｅ信号にマッピングされると、レートが調整された１０ＧＦＣサービス信号を固定に充填して、固定に充填された１０ＧＦＣサービス信号を光チャネル浄荷ユニットＯＰＵにカプセル化させ、或いは、１０ＧＦＣサービス信号が最後にＯＴＵ１ｅ／ＯＤＵ１ｅ信号にマッピングされると、レートが調整された１０ＧＦＣサービス信号を光チャネル浄荷ユニットＯＰＵにカプセル化させ、
ＯＰＵに光チャネルデートユニットＯＤＵのオーバーヘッドを加えてＯＤＵフレームにカプセル化させて、ＯＤＵ２ｅ信号或いはＯＤＵ１ｅ信号を出力することを、含む。
【００１０】
好適に、フレーミングステップは、ＯＤＵ２ｅ信号或いはＯＤＵ１ｅ信号に対して光チャネル伝送ユニットＯＴＵのオーバーヘッドを加えてＯＴＵフレームにカプセル化させて、ＯＴＵ２ｅ信号或いはＯＴＵ１ｅ信号を出力すること、をさらに含む。
【００１１】
本発明の他の１つ方面に係る１０ギガビット光ファイバーチャネルサービスを光伝送ネットワークに送信する装置は、
ユーザー側から１０ギガビット光ファイバーチャネル１０ＧＦＣサービス信号を受信する受信モジュールと、
受信した１０ＧＦＣサービス信号のレートを１０ギガイーサネット（登録商標）１０ＧＥ信号のレートに調整するレート適合モジュールと、
レートが調整された１０ＧＦＣサービス信号をＯＴＵ２ｅ／ＯＤＵ２ｅ信号或いはＯＴＵ１ｅ／ＯＤＵ１ｅ信号にマッピングするＯＴＵ／ＯＤＵフレーミングモジュールと、
ＯＴＵ２ｅ／ＯＤＵ２ｅ信号或いはＯＴＵ１ｅ／ＯＤＵ１ｅ信号を光伝送ネットワークに送信して伝送する送信モジュールと、を含む。
【００１２】
好適に、レート適合モジュールは、１０ＧＦＣサービス信号を６４／６６Ｂデコードして、レートが１０．２Ｇｂｐｓである１０ＧＦＣサービス信号を取得するデコードユニットと、
レートが１０．２Ｇｂｐｓである１０ＧＦＣサービス信号をエンコードして、レートが１０ＧＥ信号のレートである１０ＧＦＣサービス信号を取得するエンコードユニットと、を含む。
【００１３】
好適に、ＯＴＵ／ＯＤＵフレーミングモジュールは、
１０ＧＦＣサービス信号が最後にＯＴＵ２ｅ／ＯＤＵ２ｅ信号にマッピングされると、レートが調整された１０ＧＦＣサービス信号を固定に充填して、固定に充填された１０ＧＦＣサービス信号を光チャネル浄荷ユニットＯＰＵにカプセル化させ、
或いは、１０ＧＦＣサービス信号が最後にＯＴＵ１ｅ／ＯＤＵ１ｅ信号にマッピングされると、レートが調整された１０ＧＦＣサービス信号を光チャネル浄荷ユニットＯＰＵにカプセル化させるＯＰＵマッピングユニットと、
ＯＰＵに対して光チャネルデータユニットＯＤＵのオーバーヘッドを加えてＯＤＵフレームにカプセル化させて、ＯＤＵ２ｅ信号或いはＯＤＵ１ｅ信号を出力するＯＤＵフレーミングユニットと、
ＯＤＵ２ｅ信号或いはＯＤＵ１ｅ信号に対して光チャネル伝送ユニットＯＴＵのオーバーヘッドを加えてＯＴＵフレームにカプセル化させて、ＯＴＵ２ｅ信号或いはＯＴＵ１ｅ信号を出力するＯＴＵフレーミングユニットと、を含む。
【００１４】
本発明の他の１つの方面に係る１０ギガビット光ファイバーチャネルサービスを光伝送ネットワークに受信する方法は、
ネットワーク側から１０ＧＦＣサービスをロードするＯＴＵ２ｅ／ＯＤＵ２ｅ信号或いはＯＴＵ１ｅ／ＯＤＵ１ｅを受信する受信ステップと、
受信したＯＴＵ２ｅ／ＯＤＵ２ｅ信号をレートが１０ギガイーサネット（登録商標）（ＧＥ）信号のレートである１０ＧＦＣサービス信号にデフレームし、或いは受信したＯＴＵ１ｅ／ＯＤＵ１ｅ信号をレートが１０ＧＥ信号のレートである１０ＧＦＣサービス信号にデフレームするデフレームステップと、
１０ＧＦＣサービス信号のレートを１０ＧＥ信号のレートから標準的な１０ＧＦＣサービス信号のレートに調整する回復ステップと、
レートが調整された１０ＧＦＣサービス信号をクライアント側に送信する送信ステップと、を含む。
【００１５】
好適に、上記デフレームステップは、
ネットワーク側から受信されたのは光チャネル伝送ユニットＯＴＵ信号であるか光チャネルデータユニットＯＤＵ信号であるかを判断して、ＯＴＵ信号であると、ＯＴＵ信号をデフレームして、ＯＤＵ信号を出力し、
ＯＤＵ信号をデフレームして、ＯＰＵ信号を出力して、ＯＰＵ信号から１０ＧＦＣサービス信号をデマッピングすること、を含む。
【００１６】
本発明の他の一つの方面に係る１０ギガビット光ファイバーチャネルサービスを光伝送ネットワークに受信する装置は、
ネットワーク側から１０ＧＦＣサービスをロードするＯＴＵ２ｅ／ＯＤＵ２ｅ信号或いはＯＴＵ１ｅ／ＯＤＵ１ｅ信号を受信する受信モジュールと、
受信したＯＴＵ２ｅ／ＯＤＵ２ｅ信号をレートが１０ＧＥ信号のレートである１０ＧＦＣサービス信号にデフレームし、或いは受信したＯＴＵ１ｅ／ＯＤＵ１ｅ信号をレートが１０ＧＥ信号のレートである１０ＧＦＣサービス信号にデフレームするＯＤＵ／ＯＴＵデフレームモジュールと、
１０ＧＦＣサービス信号のレートを１０ＧＥ信号のレートから標準的な１０ＧＦＣサービス信号のレートに調整するレート回復モジュールと、
レートが調整された１０ＧＦＣサービス信号をクライアント側に送信する送信モジュールと、を含む。
【００１７】
好適に、上記のＯＤＵ／ＯＴＵデフレームモジュールは、
ネットワーク側から１０ＧＦＣサービスをロードするＯＴＵ２ｅ信号或いはＯＴＵ１ｅ信号を光チャネル伝送ユニットＯＴＵでデフレームして、ＯＤＵ２ｅ信号或いはＯＤＵ１ｅ信号を出力するＯＴＵデフレームユニットと、
ＯＤＵ２ｅ信号或いはＯＤＵ１ｅ信号を光チャネルデータユニットＯＤＵでデフレームして、光チャネル浄荷ユニットＯＰＵを出力するＯＤＵデフレームユニットと、
ＯＰＵ信号からレートが１０ＧＥ信号のレートである１０ＧＦＣサービス信号をデマッピングするＯＰＵデコード・マッピングユニットと、を含む。
【発明の効果】
【００１８】
上述した本発明の実施例より提供する技術案から分かるように、レート適合構造を利用することで、１０ＧＦＣサービス信号をＯＴＵ２ｅ／ＯＤＵ２ｅ信号或いはＯＴＵ１ｅ／ＯＤＵ１ｅ信号にマッピングさせ、マッピングされた信号をＯＴＮネットワークに伝送させて、以下のような有益効果を奏することができる。
１）１０Ｇサービス光トランスポンダユニットトランスポンダユニットのアクセスサービスを柔軟に配置することを実現することに役立って、少なくとも１０ＧＥサービスと同じなシングル・プレートハードウエアを共用することができて、シングル・プレートの応用範囲を拡大し、設備コストと維持コストを節約する。
２）複数の異なる１０Ｇサービスを混合に集合しアクセスすることを実現することに役立って、さらに有効に光伝送ネットワークの帯域幅資源を利用する。
３）ＯＴＵ２ｅ／ＯＤＵ２ｅ信号或いはＯＴＵ１ｅ／ＯＤＵ１ｅは、標準において定義されたので、すでに相応のテスト計を有して、そのＯＴＮ層をテストすることができる。
【図面の簡単な説明】
【００１９】
【図１】本発明の実施例に係る１０ＧＦＣサービスをＯＴＮネットワークに送信するフローチャートである。
【図２】本発明の実施例に係るＯＤＵ／ＯＴＵでフレーミングする方法のフローチャートである。
【図３】本発明の実施例に係る１０ＧＦＣサービスをＯＴＮネットワークに送信する装置のブロック図である。
【図４】本発明の実施例に係る１０ＧＦＣサービスをＯＴＮネットワークに受信する方法のフローチャートである。
【図５】本発明の実施例に係るＯＤＵ／ＯＴＵでデフレームする方法のフローチャートである。
【図６】本発明の実施例に係る１０ＧＦＣサービスをＯＴＮネットワークに受信する装置のブロック図である。
【発明を実施するための形態】
【００２０】
本発明の実施例の目的、技術案及び利点をさらに明瞭になるように、以下に実施例と図面を結び付けて、本発明の実施例をさらに詳しい説明する。ここで、示した実施の形態とその説明は本発明を解釈する用であり、本発明に対する限定ではない。
【００２１】
実施例１
本発明の実施例に係る１０ＧＦＣサービスをＯＴＮに送信する方法は、まず、ユーザー側から受信された１０ＧＦＣサービス信号のレートを標準的なレート（即ち、１０．５１８７５Ｇｂｐｓ）から１０ＧＥ（１０ギガイーサネット（登録商標））信号のレート（即ち、１０．３１２５Ｇｂｐｓ）に調整して、調整された１０ＧＦＣサービス信号をＯＴＵ２ｅ信号／ＯＤＵ２ｅ信号或いはＯＴＵ１ｅ信号／ＯＤＵ１ｅ信号にマッピングさせて、最後に当該ＯＴＵ２ｅ信号／ＯＤＵ２ｅ信号或いはＯＴＵ１ｅ信号／ＯＤＵ１ｅ信号をＯＮＴネットワークに送信して伝送する。
【００２２】
本実施例において、ＯＤＵ１ｅは、ＩＴＵ−Ｔ  ｓｅｒｉｅｓ  Ｇ，Ｓｕｐｐｌｅｍｅｎｔ  ４３に定義されたレートが１０．３５５８ＧｂｐｓであるＯＤＵ信号である。ＯＤＵ２ｅは、ＩＴＵ−Ｔ  ｓｅｒｉｅｓ  Ｇ、Ｓｕｐｐｌｅｍｅｎｔ  ４３に定義されたレートが１０．３９９５ＧｂｐｓであるＯＤＵ信号である。
【００２３】
図１に示すように、図１は本発明の実施例に係る１０ＧＦＣサービスをＯＴＮネットワークに送信する方法のフローチャートである。具体的なステップは、以下の通りである。
ステップ１１において、ユーザー側からレートが１０．５１８７５Ｇｂｐｓである１０ＧＦＣサービス信号を受信する。
【００２４】
ステップ１２において、受信した１０ＧＦＣサービス信号のレートを１０ＧＥ信号のレートに調整する。
【００２５】
つまり、ステップ１１で受信された１０ＧＦＣサービス信号のレートを標準的な１０．５１８７５Ｇｂｐｓから１０ＧＥ信号のレート１０．３１２５Ｇｂｐｓ、即ち標準に規定された１０ＧＥサービスのレートに調整する。
【００２６】
本ステップの調整方式は、以下のような３つの方法を採用して実現することができる。
１）帯域幅を損害しない場合では、先に１０ＧＦＣサービス信号を６４Ｂ／６６Ｂデコードしてレートが１０．２Ｇｂｐｓである１０ＧＦＣサービス信号を取得して、さらに最適化なエンコード方式でエンコードしてレートが１０．３２５Ｇｂｐｓである１０ＧＦＣサービス信号を取得することができる。
２）ジェネリックフレーミングプロシージャ（Ｇｅｎｅｒｉｃ  Ｆｒａｍｉｎｇ  Ｐｒｏｃｅｄｕｒｅ、ＧＦＰと略称）カプセル化方式を利用して、１０ＧＦＣサービスにおけるＩｄｌｅ（アイドルフレーム）などを圧縮して、その有効的な帯域幅を１０．３１２５Ｇｂｐｓになさせる。
３）先入れ先出し  （Ｆｉｒｓｔ  Ｉｎ  Ｆｉｒｓｔ  ＯＴＵ、ＦＩＦ０と略称）  レジスターよりデータをキャッシュして帯域幅を１０．３１２５Ｇｂｐｓに下げる。本実施例においてレート調整の実現方式を制限しない。
【００２７】
ステップ１３において、レートが調整された１０ＧＦＣサービス信号をＯＴＵ２ｅ／ＯＤＵ２ｅ信号或るいはＯＴＵ１ｅ／ＯＤＵ１ｅにマッピングして、ステップ１４を実行する。
【００２８】
本実施例において、回線に直接に伝送すると、ＯＴＵ２ｅ／ＯＴＵ１ｅ信号にカプセル化し、ユーザーが具体的な需要によってＯＴＵ２ｅ信号にカプセル化するか、ＯＴＵ１ｅ信号にカプセル化するかを選択することができる。バックプレートに交差に変換する必要があると、ＯＤＵ２ｅ或いはＯＤＵ１ｅ信号にカプセル化する。
【００２９】
本発明の実施例において、図２に示すように、ステップ１３は以下のような具体的なステップを含む。
【００３０】
ステップ１３０において、１０ＧＦＣサービス信号は最終にＯＴＵ２ｅ／ＯＤＵ２ｅ信号にマッピングされるかＯＴＵ１ｅ／ＯＤＵ１ｅ信号にマッピングされるかを判断して、最終にＯＴＵ２ｅ／ＯＤＵ２ｅ信号にマッピングされると、ステップ１３１を実行し、最終にＯＴＵ１ｅ／ＯＤＵ１ｅ信号にマッピングされると、ステップ１３２を実行する。
【００３１】
ステップ１３１において、レートが１０．３１２５Ｇｂｐｓである１０ＧＦＣサービス信号に固定充填を加えて、ステップ１３２を実行する。
【００３２】
レートが１０．３１２５Ｇｂｐｓである１０ＧＦＣサービス信号が最終にＯＴＵ２ｅ／ＯＤＵ２ｅ信号にマッピングされると、１０．３１２５Ｇｂｐｓ信号を固定に充填して、さらにＯＰＵ浄荷（Ｐａｙｌｏａｄ）にカプセル化する。本ステップにおける固定充填とは、固定充填バイトであって、レートの要求を満足するために一定の位置に一定の数を加えるバイトである。当該バイトの具体的な数値を制限しないが、信号を受信する場合、充填の位置によって当該バイトしかを除去しなく、これらのバイトの情報を処理しない。
【００３３】
ステップ１３２において、入力信号をＯＰＵ信号にマッピングさせる。
【００３４】
つまり、ステップ１３０とステップ１３１からの信号をＯＰＵ信号にマッピングさせる。１０ＧＦＣサービス信号が最終にＯＴＵ１ｅ／ＯＤＵ１ｅ信号にマッピングされると、固定に充填する必要がなく、直接に１０ＧＦＣサービス信号をＯＰＵ信号にカプセル化させる。
【００３５】
ステップ１３３において、ステップ１３２で取得されたＯＰＵ信号に対してＯＤＵ層オーバーヘッドを加えてＯＤＵフレームにカプセル化する。
【００３６】
ステップ１３４において、ＯＤＵ信号を出力するかＯＴＵ信号を出力するかを判断して、ＯＴＵ信号を出力すると、ステップ１３５を実行し、ＯＤＵ信号を出力すると、直接に出力する。
【００３７】
ステップ１３５において、０ＤＵ入力信号に対してＯＴＵのオーバーヘッドを加えてＯＴＵフレームにカプセル化する。
【００３８】
ステップ１３０〜ステップ１３５において、１０ＧＦＣサービス信号をＯＴＵ２ｅ／ＯＤＵ２ｅ信号或いはＯＴＵ１ｅ／ＯＤＵ１ｅ信号にマッピングさせることを完成して、ステップ１４を実行する。
【００３９】
ステップ１４において、カプセル化されたＯＴＵ１ｅ／ＯＤＵ１ｅ信号或いはＯＴＵ２ｅ／ＯＤＵ２ｅ信号をＯＴＮネットワークに送信して伝送する。
【００４０】
上述した技術案から分かるように、一方では、１０ＧＦＣサービス信号をＯＴＵ２ｅ／ＯＤＵ２ｅ信号或いはＯＴＵ１ｅ／ＯＤＵ１ｅ信号にマッピングさせることで、１０Ｇサービス光トランスポンダユニットのアクセスサービスを柔軟に配置することを実現することに役立って、少なくとも１０ＧＥサービスと同じシングル・プレートハードウエアを共用することができ、シングル・プレートの応用範囲を拡大し、設備コストと維持コストを節約し、一方では、複数の異なる１０Ｇサービスを混合に集合しアクセスすることを実現することに役立って、有効に光伝送ネットワークの帯域資源を利用する。
【００４１】
上述した方法に係る実施例を実現するために、本発明の他の実施例は、１０ギガビット光ファイバーチャネルサービスを光伝送ネットワークに送信する装置を提供する。なお、下記した実施例が上述した方法に係る実施例を実現するので、当該装置がすべて前記方法の各ステップを実現するために設けられるが、本発明が下記の実施例に制限されことではなく、いかなる上記方法を実現できる装置がすべて本発明の保護範囲に含まれるべきである。また、下記の説明では、前記方法と同じような内容がここで省略して、紙面を節約する。
【００４２】
図３に示すように、図３が本発明の実施例に係る１０ＧＦＣサービスをＯＴＮネットワークに送信する装置のブロック図である。当該装置３０は、
ユーザー側からレートが１０．５１８７５Ｇｂｐｓである１０ＧＦＣサービス信号を受信する受信モジュール３１と、
受信した１０ＧＦＣサービス信号のレートを１０ＧＥ信号のレートに調整する、つまり受信した１０ＧＦＣサービス信号のレートを１０．５１８７５Ｇｂｐｓから１０．３１２５Ｇｂｐｓに調整するレート適合モジュール３２と、
レートが調整された１０ＧＦＣサービス信号をＯＴＵ２ｅ／ＯＤＵ２ｅサービス信号或いはＯＴＵ１ｅ／ＯＤＵ１ｅサービス信号にマッピングさせ、
つまり、レートが１０．３１２５Ｇｂｐｓである１０ＧＦＣサービス信号をＯＴＵ２ｅ／ＯＤＵ２ｅサービス信号或いはＯＴＵ１ｅ／ＯＤＵ１ｅサービス信号にマッピングさせるＯＴＵ／ＯＤＵフレーミングモジュール３３と、
ＯＴＵ２ｅ／ＯＤＵ２ｅ信号或いはＯＴＵ１ｅ／ＯＤＵ１ｅ信号をＯＴＮネットワークに送信して伝送する送信モジュール３４と、を含む。
【００４３】
上記レート適合モジュール３２は、
１０ＧＦＣサービス信号を６４／６６Ｂデコードして、レートが１０．２Ｇｂｐｓである１０ＧＦＣサービス信号を取得するデコードユニットと、
レートが１０．２Ｇｂｐｓである１０ＧＦＣサービス信号をエンコードして、レートが１０ＧＥ信号のレートである１０ＧＦＣサービス信号、つまり、レートが１０．３１２５Ｇｂｐｓである１０ＧＦＣサービス信号を取得するエンコードユニットと、を含む。
【００４４】
本発明の実施例において、さらにＧＦＰ（Ｇｅｎｅｒｉｃ  Ｆｒａｍｉｎｇ  Ｐｒｏｃｅｄｕｒｅ：ジェネリックフレーミングプロシージャ）カプセル化方式を利用して、１０ＧＦＣサービスにおけるＩｄｌｅなどを圧縮して、その有効的な帯域幅を１０．３１２５Ｇｂｐｓになさせ、或いはＦＩＦＯ  レジスターを利用してデータをキャッシュして帯域幅を１０．３１２５Ｇｂｐｓに下げることができる。本実施例において、レート調整の実現方式を制限しない。
【００４５】
上記ＯＴＵ／ＯＤＵフレーミングモジュール３３は、
１０ＧＦＣサービス信号が最終にＯＴＵ２ｅ／ＯＤＵ２ｅ信号にマッピングされると、レートが調整された１０ＧＦＣサービス信号を固定に充填して、固定に充填された１０ＧＦＣサービス信号をＯＰＵにカプセル化させ、
或いは、１０ＧＦＣサービス信号が最終にＯＴＵ１ｅ／ＯＤＵ１ｅ信号にマッピングされると、レートが調整された１０ＧＦＣサービス信号をＯＰＵにカプセル化させるＯＰＵマッピングユニット３３０と、
ＯＰＵ信号に対してＯＤＵのオーバーヘッドを加えてＯＤＵフレームにカプセル化して、ＯＤＵ２ｅ信号或いはＯＤＵ１ｅ信号を出力するＯＤＵフレーミングユニット３３１と、
ＯＤＵ２ｅ信号或いはＯＤＵ１ｅ信号にＯＴＵのオーバーヘッドを加えてＯＴＵフレームにカプセル化して、ＯＴＵ２ｅ信号或いはＯＴＵ１ｅ信号を出力するＯＴＵフレーミングユニット３３２と、を含む。
【００４６】
上述した技術案から分かるように、一方では、１０ＧＦＣサービス信号をＯＴＵ２ｅ／ＯＤＵ２ｅ信号或いはＯＴＵ１ｅ／ＯＤＵ１ｅ信号にマッピングさせることで、１０Ｇサービス光トランスポンダユニットのアクセスサービスを柔軟に配置することを実現することに役立って、少なくとも１０ＧＥサービスと同じようなシングル・プレートハードウエアを共用することができ、シングル・プレートの応用範囲を拡大し、設備コストと維持コストを節約し、他方では、複数の異なる１０サービスを混合に集合しアクセスすることを実現することに役立って、有効に光伝送ネットワークの帯域資源を利用することになる。
【００４７】
実施例２
本発明の他の一つの実施例に係る１０ＧＦＣサービスをＯＴＮに受信する方法は、まず、ネットワーク側から受信されたＯＴＵ１ｅ／ＯＤＵ１ｅ信号或いはＯＴＵ２ｅ／ＯＤＵ２ｅ信号をレートが１０ＧＥ信号のレート（即ち１０．３１２５Ｇｂｐｓ）である１０ＧＦＣサービス信号にデフレームして、レートを標準的な１０ＧＦＣサービス信号のレート（即ち１０．５１８７５Ｇｂｐｓ）に調整して、最後にクライアント側のＦＣ（光ファイバー）設備に送信する。
【００４８】
図４に示すように、図４は本発明の実施例に係る１０ＧＦＣサービスをＯＴＮネットワークに受信する方法のフローチャートである。具体的なステップは、以下の通りである。
【００４９】
ステップ４１において、ＯＴＮネットワークから１０ＧＦＣサービスをロードするＯＴＵ１ｅ／ＯＤＵ１ｅ信号或いはＯＴＵ２ｅ／ＯＤＵ２ｅ信号を受信する。
【００５０】
ステップ４２において、受信したＯＴＵ２ｅ／ＯＤＵ２ｅ信号或いはＯＴＵ１ｅ／ＯＤＵ１ｅ信号をレートが１０ＧＥ信号のレートである１０ＧＦＣサービス信号にデフレームして、ステップ４３を実行する。
【００５１】
つまり、受信したＯＴＵ２ｅ／ＯＤＵ２ｅ信号或いはＯＴＵ１ｅ／ＯＤＵ１ｅ信号をレートが１０．３１２５Ｇｂｐｓである１０ＧＦＣサービス信号にデフレームして、ステップ４３を実行する。
【００５２】
本発明の実施例において、図５に示すように、ステップ４２は、以下のようなステップを含む。
【００５３】
ステップ４２０において、受信したのはＯＴＵ信号であるかＯＤＵ信号であるかを判断して、ＯＴＵ信号であると、ステップ４２１を実行し、ＯＤＵ信号であると、ステップ４２２を実行する。
【００５４】
ステップ４２１において、ＯＴＵ信号をデフレームして、ＯＤＵ信号を出力して、ステップ４２２を実行する。
【００５５】
ステップ４２２において、ＯＤＵ信号をデフレームして、ＯＰＵ信号を出力して、ステップ４２３を実行する。
【００５６】
ステップ４２３において、ＯＰＵ信号から１０ＧＦＣサービス信号をデマッピングする。
【００５７】
ステップ４２４において、ＯＰＵ１ｅからデマッピングするかＯＰＵ２ｅからデマッピングするかを判断して、ＯＰＵ２ｅからデマッピングすると、ステップ４２５を実行し、ＯＰＵ１ｅからデマッピングすると、ステップ４２６を実行する。
【００５８】
上記ＯＰＵ１ｅとは、ＩＴＵ−Ｔ  Ｓｅｒｉｅｓ  Ｇ、Ｓｕｐｐｌｅｍｅｎｔ  ４３  に１０Ｇｂｅ  ＬＡＮ  ＰＨＹクライアント信号よりＯＴＵへの非標準マッピング方式を定義したことである。１０．３１２５Ｇｂｐｓの１０ＧＥ  ＬＡＮは、直接にＯＰＵの浄荷にマッピングした後、ＯＤＵを介してフレーミングされて、最後にＯＴＵ１ｅまでに至って、そのフレームフォーマットはレート以外に標準的なＯＴＵ２と同じである。
【００５９】
上記ＯＰＵ２ｅとは、ＩＴＵ−Ｔ  Ｓｅｒｉｅｓ  Ｇ、Ｓｕｐｐｌｅｍｅｎｔ  ４３に１０Ｇｂｅ  ＬＡＮ  ＰＨＹクライアント信号よりＯＴＵへの非標準マッピング方式を定義したことである。１０．３１２５Ｇｂｐｓの１０ＧＥ  ＬＡＮは、固定に充填した後、さらにＯＰＵの浄荷にマッピングして、ＯＤＵを介してフレーミングされて、最後にＯＴＵ２ｅに至って、そのフレームフォーマットはレート以外に標準的なＯＴＵ２と同じであるが、ただレートが同じではない。
【００６０】
ステップ４２５において、固定充填を除去する。
【００６１】
ステップ４２６において、１０ＧＦＣサービス信号のレートを１０．３１２５Ｇｂｐｓから１０．５１８７５Ｇｂｐｓに回復させる。
【００６２】
ステップ４２０〜ステップ４２６において、受信したＯＴＵ２ｅ／ＯＤＵ２ｅ信号或いはＯＴＵ１ｅ／ＯＤＵ１ｅ信号をレートが１０．３１２５Ｇｂｐｓである１０ＧＦＣサービス信号にデフレームさせることを完成した。
【００６３】
ステップ４３において、１０ＧＦＣサービス信号のレートを１０ＧＥ信号のレートから標準的な１０ＧＦＣサービス信号のレートに調整する。
【００６４】
ステップ４４において、レートが調整された１０ＧＦＣサービス信号をクライアント側に送信する。
【００６５】
上述した技術案から分かるように、一方では、ＯＴＵ２ｅ／ＯＤＵ２ｅ信号或いはＯＴＵ１ｅ／ＯＤＵ１ｅ信号を１０ＧＦＣサービス信号にデフレームしてマッピングさせることで、１０Ｇサービス光トランスポンダユニットのアクセスサービスを柔軟に配置することを実現することに役立って、少なくとも１０ＧＥサービスと同じようなシングル・プレートハードウエアを共用することができ、シングル・プレートの応用範囲を拡大し、設備コストと維持コストを節約し、他方では、複数の異なる１０Ｇサービスを混合に集合しアクセスすることを実現することに役立って、有効に光伝送ネットワークの帯域資源を利用する。
【００６６】
上述した方法に係る実施例を実現するために、本発明の他の実施例は、１０ギガビット光ファイバーチャネルサービスを光伝送ネットワークに受信する装置を提供する。なお、下記した実施例が上述した方法に係る実施例を実現するので、当該装置はすべて前記方法の各ステップを実現するために設けられるが、本発明は下記の実施例に制限されることではなく、いかなる上記方法を実現できる装置がすべて本発明の保護範囲に含まれるべきである。また、下記の説明では、前記方法と同じような内容がここで省略して、紙面を節約する。
【００６７】
図６に示すように、図６が本発明の実施例に係る１０ＧＦＣサービスをＯＴＮネットワークに受信する装置のブロック図である。当該装置６０は、
ネットワーク側から１０ＧＦＣサービスをロードするＯＴＵ２ｅ／ＯＤＵ２ｅ信号或いはＯＴＵ１ｅ／ＯＤＵ１ｅ信号を受信する受信モジュール６１と、
受信したＯＴＵ２ｅ／ＯＤＵ２ｅ信号或いはＯＴＵ１ｅ／ＯＤＵ１ｅ信号をレートが１０ＧＥ信号のレートである１０ＧＦＣサービス信号にデフレームさせるＯＤＵ／ＯＴＵデフレームモジュール６２と、
１０ＧＦＣサービス信号のレートを１０ＧＥ信号のレートから標準的な１０ＧＦＣサービス信号のレートに調整する、
つまり、ＯＤＵ／ＯＴＵデフレームモジュール６２が出力した１０ＧＦＣサービス信号のレートを１０．３１２５Ｇｂｐｓから１０．５１８７５Ｇｂｐｓに調整するレート回復モジュール６３と、
レートが調整された１０ＧＦＣサービス信号をクライアント側に送信する送信モジュール６４と、を含む。
【００６８】
上記ＯＤＵ／ＯＴＵデフレームモジュール６２は、
ネットワーク側から１０ＧＦＣサービスをロードするＯＴＵ２ｅ信号或いはＯＴＵ１ｅ信号を受信してＯＴＵでデフレームして、ＯＤＵ２ｅ信号或いはＯＤＵ１ｅ信号を出力するＯＴＵデフレームユニット６２１と、
ＯＤＵ２ｅ信号或いはＯＤＵ１ｅ信号をＯＤＵでデフレームして、ＯＰＵ信号を出力するＯＤＵデフレームユニット６２２と、
ＯＰＵ信号からレートが１０ＧＥ信号のレートである１０ＧＦＣサービス信号をデマッピングし、つまりＯＰＵ信号からレートが１０．３１２５Ｇｂｐｓである１０ＧＦＣサービス信号をデマッピングするＯＰＵデフレーム・マッピングユニット６２３と、を含む。
【００６９】
上述した技術案から分かるように、一方では、ＯＴＵ２ｅ／ＯＤＵ２ｅ信号或いはＯＴＵ１ｅ／ＯＤＵ１ｅ信号を１０ＧＦＣサービス信号にデマッピングさせることで、１０Ｇサービス光トランスポンダユニットのアクセスサービスを柔軟に配置することを実現することに役立って、少なくとも１０ＧＥサービスと同じようなシングル・プレートハードウエアを共用することができ、シングル・プレートの応用範囲を拡大し、設備コストと維持コストを節約し、他方では、複数の異なる１０Ｇサービスを混合に集合しアクセスすることを実現することに役立って、有効に光伝送ネットワークの帯域資源を利用する。
【００７０】
上述は本発明の実施形態しかなく、本発明に限定されるものではなく、当業者にとっては、本発明の原理を逸脱しない前提で、本発明に対して行った若干の修正と修飾は、本発明の特許請求の範囲に含まれるべきである。
【図１】
0005313351.tif 000002
【図２】
0005313351.tif 000003
【図３】
0005313351.tif 000004
【図４】
0005313351.tif 000005
【図５】
0005313351.tif 000006
【図６】
0005313351.tif 000007